(57)【要約】【課題】インセル型の表示装置において、タッチ位置の座標検出精度を向上させる。【解決手段】表示装置２２は、画像表示およびタッチ検出に共有される複数の共通電極を備える。駆動回路７４は、複数の共通電極のそれぞれにタッチ駆動信号を供給する。タッチ検出回路７６は、複数の共通電極３４のそれぞれから受信したタッチ検出信号に基づいて、表示装置２２への物体のタッチを検出する。複数の共通電極３４は、それぞれが複数の共通電極３４を含む複数のグループに分けられ、複数の共通電極３４を複数のグループに分ける分割パターンは２以上ある。タッチ検出回路７６は、複数の共通電極３４からグループごとにタッチ検出信号を受信する。【選択図】図１
2020154943.tif 000002
【特許請求の範囲】
【請求項１】
画像表示およびタッチ検出に共有される複数の共通電極を備える表示装置と、
前記複数の共通電極のそれぞれにタッチ駆動信号を供給する駆動回路と、
前記複数の共通電極から受信したタッチ検出信号に基づいて、前記表示装置への物体のタッチを検出するタッチ検出回路と、を備え、
前記複数の共通電極は、それぞれが複数の共通電極を含む複数のグループに分けられ、
前記複数の共通電極を前記複数のグループに分ける分割パターンは２以上あり、
前記タッチ検出回路は、前記複数の共通電極からグループごとにタッチ検出信号を受信する、
表示システム。
【請求項２】
さらに、前記タッチ検出回路を制御する制御回路を備え、
前記制御回路は、前記複数の共通電極を前記複数のグループに分ける前記分割パターンを切り替え、
前記タッチ検出回路は、前記制御回路において切り替えられた分割パターンに応じて、前記複数の共通電極からグループごとにタッチ検出信号を受信する、
請求項１に記載の表示システム。
【請求項３】
前記２以上の分割パターンはそれぞれ、前記複数の共通電極を前記複数のグループに分ける境界が異なる、
請求項１または２に記載の表示システム。
【請求項４】
前記駆動回路は、前記複数の共通電極のそれぞれに前記タッチ駆動信号および基準電圧を時分割で供給し、
前記表示装置におけるフレーム期間は、前記表示装置が画像を表示する表示期間と、前記タッチ検出回路が前記表示装置への物体のタッチを検出するタッチ検出期間とを含む、
請求項１から３のいずれか１項に記載の表示システム。
【請求項５】
前記制御回路は、前記複数のグループの境界を跨いでタッチが検出された場合、前記複数の共通電極の分割パターンを別の分割パターンに切り替える、
請求項２に記載の表示システム。
【請求項６】
前記制御回路は、前記複数のグループの境界を跨いでタッチが検出された場合、前記複数の共通電極の分割パターンを、前記タッチが検出された位置に前記複数のグループの境界がない別の分割パターンに切り替える、
請求項２または５に記載の表示システム。
【請求項７】
前記制御回路は、ｎ（ｎは自然数）画面分のタッチ検出を行うごとに、前記複数の共通電極の分割パターンを別の分割パターンに切り替える、
請求項２、５、６のいずれか１項に記載の表示システム。
【請求項８】
前記タッチ検出回路は、一のフレーム期間に含まれるタッチ検出期間において、前記表示装置に含まれる前記複数の共通電極と対応するタッチ検出領域に対して、前記タッチの検出を２回行い、
前記制御回路は、前記一のフレーム期間に含まれる前記タッチ検出期間において、前記２回のタッチ検出それぞれで、前記分割パターンを変える、
請求項２、５、６、７のいずれか１項に記載の表示システム。
【請求項９】
前記制御回路は、前記複数の共通電極の分割パターンの分割数を切り替え可能である、
請求項２、５、６、７、８のいずれか１項に記載の表示システム。
【請求項１０】
前記複数の共通電極の分割パターンの分割数に応じて、前記表示装置におけるフレーム期間の前記タッチ検出期間と前記表示期間の長さが変わる、
請求項４に記載の表示システム。
【請求項１１】
前記制御回路は、予め規定された前記２以上の分割パターンから、使用する分割パターンを選択する、
請求項２、５、６、７、８、９のいずれか１項に記載の表示システム。
【請求項１２】
前記制御回路は、前記複数の共通電極の分割パターンを切り替える際、予め規定された前記２以上の分割パターンから、使用する分割パターンを順番にまたはランダムに選択する、
請求項１１に記載の表示システム。
【請求項１３】
前記制御回路は、使用する前記分割パターンを生成する、
請求項２、５、６、７、８、９のいずれか１項に記載の表示システム。
【請求項１４】
画像表示およびタッチ検出に共有される複数の共通電極を備える表示装置の制御装置であって、
前記複数の共通電極のそれぞれにタッチ駆動信号を供給する駆動回路と、
前記複数の共通電極のそれぞれから受信したタッチ検出信号に基づいて、前記表示装置へのタッチを検出するタッチ検出回路と、を備え、
前記複数の共通電極は、それぞれが複数の共通電極を含む複数のグループに分けられ、
前記複数の共通電極を前記複数のグループに分ける分割パターンは２以上あり、
前記タッチ検出回路は、前記複数の共通電極からグループごとにタッチ検出信号を受信する、
表示装置の制御装置。
【請求項１５】
画像表示およびタッチ検出に共有される複数の共通電極を備えるタッチ式の表示装置の制御方法であって、
前記複数の共通電極のそれぞれにタッチ駆動信号を供給するステップと、
前記複数の共通電極のそれぞれから受信したタッチ検出信号に基づいて、前記表示装置への物体のタッチを検出するステップと、を有し、
前記複数の共通電極は、それぞれが複数の共通電極を含む複数のグループに分けられ、
前記複数の共通電極を前記複数のグループに分ける分割パターンは２以上あり、
前記タッチを検出するステップは、前記複数の共通電極からグループごとにタッチ検出信号を受信する、
表示装置の制御方法。
【発明の詳細な説明】
【技術分野】
【０００１】
本発明は、画像表示およびタッチ検出に共用される複数の共通電極を備える表示システム、表示装置の制御装置、および表示装置の制御方法に関する。
【背景技術】
【０００２】
ユーザのタッチ位置を検出するためのタッチセンサが表示パネル内に組み込まれたインセル型の表示装置が知られている（たとえば特許文献１参照）。この表示装置では、液晶表示パネルの画素に共通電圧を供給するための共通電極を複数に分割して、これらの共通電極をタッチセンサ電極としても利用する。画像表示期間において共通電圧が複数の共通電極に供給され、タッチ検出期間においてタッチ検出用のタッチ駆動信号が複数の共通電極に供給される。
【先行技術文献】
【特許文献】
【０００３】
【特許文献１】国際公開第２０１８／１２３８１３号
【発明の概要】
【発明が解決しようとする課題】
【０００４】
インセル型の表示装置において、更なる改善が求められている。
【課題を解決するための手段】
【０００５】
上記課題を解決するために、本開示のある態様の表示システムは、画像表示およびタッチ検出に共有される複数の共通電極を備える表示装置と、前記複数の共通電極のそれぞれにタッチ駆動信号を供給する駆動回路と、前記複数の共通電極のそれぞれから受信したタッチ検出信号に基づいて、前記表示装置への物体のタッチを検出するタッチ検出回路と、を備える。前記複数の共通電極は、それぞれが複数の共通電極を含む複数のグループに分けられる。前記複数の共通電極を前記複数のグループに分ける分割パターンは２以上ある。前記タッチ検出回路は、前記複数の共通電極からグループごとにタッチ検出信号を受信する。
【０００６】
なお、以上の構成要素の任意の組み合わせ、本開示の表現を方法、装置、システム、などの間で変換したものもまた、本開示の態様として有効である。
【発明の効果】
【０００７】
上記の態様により、更なる改善を実現できた。
【図面の簡単な説明】
【０００８】
【図１】実施の形態に係る表示システムのブロック図である。
【図２】図１の表示装置の回路構成を概略的に示す図である。
【図３】図２の共通電極の配置を示す上面図である。
【図４】制御回路による制御タイミングの一例を示す図である。
【図５】図５（ａ）−（ｊ）は、図４に示した制御タイミングにより、画像表示とタッチスキャンを実行する場合の具体例を示す図である。
【図６】図６（ａ）−（ｂ）は、２つのスキャンブロックの境界部分にタッチされた場合の具体例を示す図である。
【図７】２つのスキャンブロックの垂直方向の境界を跨いでタッチしている場合における、タッチ位置の座標検出結果の一例を示す図である。
【図８】図８（ａ）−（ｂ）は、複数のスキャンブロックの第１の分割パターンと第２の分割パターンを示す図である。
【図９】図９（ａ）−（ｂ）は、複数のスキャンブロックの第３の分割パターンと第４の分割パターンを示す図である。
【図１０】図１０（ａ）−（ｂ）は、第２の分割パターンと第３の分割パターンが使用される場合の具体例を示す図である。
【図１１】複数のスキャンブロックの第５の分割パターンを示す図である。
【図１２】単位フレーム期間の途中で第１の分割パターンから第５の分割パターンに切り替わった場合の制御タイミングを示す図である。
【図１３】図１３（ａ）−（ｂ）は、第５の分割パターンが使用される場合の具体例を示す図である。
【図１４】図１４（ａ）−（ｂ）は、複数のスキャンブロックの第６の分割パターンと第７の分割パターンを示す図である。
【図１５】第１の分割パターンのスキャンブロックを有する表示装置の各共通電極からタッチ検出信号を受信するための回路構成例を示す図である。
【図１６】制御回路から図１５のマルチプレクサに供給される入力ポート選択信号を示す図である。
【図１７】第１の分割パターンと第２の分割パターンとを切り替え可能な表示装置の各共通電極からタッチ検出信号を受信するための回路構成例を示す図である。
【図１８】図１８（ａ）−（ｂ）は、図１７の表示装置において第１の分割パターンが選択される場合の、スキャンブロックと、制御回路から第１マルチプレクサおよび第２マルチプレクサに供給される入力ポート選択信号を示す図である。
【図１９】図１９（ａ）−（ｂ）は、図１７の表示装置において第２の分割パターンが選択される場合の、スキャンブロックと、制御回路から第１マルチプレクサおよび第２マルチプレクサに供給される入力ポート選択信号を示す図である。
【図２０】第１の分割パターンと第４の分割パターンとを切り替え可能な表示装置の各共通電極からタッチ検出信号を受信するための回路構成例を示す図である。
【図２１】図２１（ａ）−（ｂ）は、図２０の表示装置において第１の分割パターンが選択される場合の、スキャンブロックと、制御回路から第１マルチプレクサおよび第２マルチプレクサに供給される入力ポート選択信号を示す図である。
【図２２】図２２（ａ）−（ｂ）は、図２０の表示装置において第４の分割パターンが選択される場合の、スキャンブロックと、制御回路から第１マルチプレクサおよび第２マルチプレクサに供給される入力ポート選択信号を示す図である。
【図２３】第１の分割パターンと第９の分割パターンとを切り替え可能な表示装置の各共通電極からタッチ検出信号を受信するための回路構成例を示す図である。
【図２４】図２４（ａ）−（ｂ）は、図２３の表示装置において第１の分割パターンが選択される場合の、スキャンブロックと、制御回路から第１マルチプレクサおよび第２マルチプレクサに供給される入力ポート選択信号を示す図である。
【図２５】図２５（ａ）−（ｂ）は、図２３の表示装置において第９の分割パターンが選択される場合の、スキャンブロックと、制御回路から第１マルチプレクサおよび第２マルチプレクサに供給される入力ポート選択信号を示す図である。
【図２６】実施の形態に係る制御装置の第１の動作例を説明するためのフローチャートである。
【図２７】図２７（ａ）−（ｂ）は、第１の分割パターンと第２の分割パターンの間で分割パターンを切り替える制御において、マルチタッチが検出された場合の制御例を説明するための図である。
【図２８】実施の形態に係る制御装置の第２の動作例を説明するためのフローチャートである。
【発明を実施するための形態】
【０００９】
（本開示の基礎となった知見）
実施の形態を具体的に説明する前に、基礎となった知見を説明する。インセル型の表示装置には、複数の共通電極を含む検出領域(以下、スキャンブロックともいう)ごとに、タッチ検出信号を受信して、複数の共通電極のそれぞれに対応するタッチ検出領域への物体のタッチを検出するものがある。このような構成において、あるスキャンブロックと隣接する別のスキャンブロックの境界に物体がタッチしたときに、タッチ検出の座標精度が低下してしまう場合がある、という課題を本発明者は発見した。この課題を解決するために、本開示に係る表示システムは以下のように構成される。
【００１０】
以下、各図面に示される同一または同等の構成要素、部材、工程には、同一の符号を付するものとし、適宜重複した説明は省略する。また、各図面における部材の寸法は、理解を容易にするために適宜拡大、縮小して示される。
【００１１】
（実施の形態）
図１は、実施の形態に係る表示システム１のブロック図である。表示システム１は、自動車などの車両に搭載された車載の表示システム１である一例について説明するが、用途は特に限定されず、携帯機器などに用いてもよい。
【００１２】
表示システム１は、ホスト１０と、表示モジュール２０とを備える。ホスト１０は、ラジオ、カーナビゲーション、Ｂｌｕｅｔｏｏｔｈ（登録商標）通信などの各種機能を実行するとともに、表示モジュール２０を制御する。ホスト１０は、制御装置１２を備える。
【００１３】
制御装置１２は、たとえばＣＰＵであり、ホストＣＰＵとも呼ばれる。制御装置１２は、画像データＤＤと制御データＣＤを表示モジュール２０に供給し、これらのデータをもとに表示モジュール２０を制御する。
【００１４】
表示モジュール２０は、表示装置２２と、制御装置２４とを備える。表示装置２２は、たとえば、カーナビゲーション画面などが表示される車室内のセンターディスプレイなどとして利用される。
【００１５】
表示装置２２は、インセル型のＩＰＳ（In Plane Switching）方式の液晶表示装置であり、タッチ位置を検出可能である。表示装置２２の構成は、たとえば、以下に説明する周知の構成となっている。
【００１６】
図２は、図１の表示装置２２の回路構成を概略的に示す。図２は、各構成要素の概略的な配置も示す。表示装置２２は、行方向に延びる複数のゲート線Ｇ１，Ｇ２，・・・と、列方向に延びる複数のソース線Ｓ１，Ｓ２，・・・と、複数の画素スイッチング素子３０と、複数の画素電極３２と、複数の共通電極３４とを備える。各画素スイッチング素子３０は、薄膜トランジスタであり、ゲート線とソース線の交点付近に画素に対応して設けられる。各画素スイッチング素子３０において、ゲートにはゲート線が接続され、ソースにはソース線が接続され、ドレインには画素電極３２が接続される。１つの共通電極３４に対して、複数の画素スイッチング素子３０と複数の画素電極３２が配置される。画素電極３２と共通電極３４との間の電界により液晶層が制御される。共通電極３４は、画像表示およびタッチ検出に共用される。そのため、電極の層数を削減して、表示装置２２を薄く構成できる。
【００１７】
図３は、図２の共通電極３４の配置を示す上面図である。複数の共通電極３４は、マトリクス状に配置される。各共通電極３４は、信号線３６で制御装置２４に接続される。
【００１８】
表示装置２２は、自己容量方式によりタッチ位置を検出する。表示装置２２の表示面に指やスタイラスペンなどの導電物が近づくと、共通電極３４との間に静電容量が発生する。静電容量が発生すると共通電極３４における寄生容量が増加し、共通電極３４にタッチ駆動信号を供給するときの電流が増加する。この電流の変動量にもとづいてタッチ位置が検出される。
【００１９】
図１に戻る。制御装置２４は、たとえばＩＣとして構成され、ホスト１０からの制御データＣＤと画像データＤＤにしたがって表示装置２２を制御する。制御装置２４は、制御回路７０と、第１駆動回路７２と、第２駆動回路７４と、タッチ検出回路７６とを備える。
【００２０】
制御回路７０は、たとえばマイコンで構成され、第１駆動回路７２と第２駆動回路７４の信号生成タイミング、タッチ検出回路７６のタッチ検出タイミングなどを制御する。
【００２１】
制御回路７０は、単位フレーム期間（１フレーム期間）に、表示画像の１フレームが表示装置２２に描画され、かつ、１画面のタッチ検出が少なくとも１回実行されるよう、第１駆動回路７２、第２駆動回路７４およびタッチ検出回路７６を制御する。単位フレーム期間は、垂直同期期間とも呼べる。単位フレーム期間の詳細は後述する。
【００２２】
第１駆動回路７２は、制御回路７０の制御にしたがい、第１基準クロック信号を生成する。第１駆動回路７２は、制御回路７０の制御にしたがい、ホスト１０からの画像データＤＤにもとづいて、生成された第１基準クロック信号に同期したソース信号ＳＳを生成する。第１駆動回路７２は、制御回路７０の制御にしたがい、生成された第１基準クロック信号に同期したゲート信号ＧＳを生成する。
【００２３】
第１駆動回路７２は、ソース信号ＳＳを表示装置２２の複数のソース線に順次供給し、ゲート信号ＧＳを表示装置２２の複数のゲート線に順次供給する。第１駆動回路７２は、各画素に表示させる画像データをソース信号ＳＳとしてソース線に順次供給し、ゲート信号ＧＳにより１行単位で、表示させる画素を選択することにより、各画素に画像を表示させる。
【００２４】
第１駆動回路７２は、第１基準クロック信号を第２駆動回路７４に供給する。第２駆動回路７４は、制御回路７０の制御にしたがい、予め定められた固定電圧である基準電圧ＶＣＯＭ、および、第１基準クロック信号に同期した矩形波のタッチ駆動信号ＴＸを生成する。第２駆動回路７４は、図３の信号線３６を介して、基準電圧ＶＣＯＭまたはタッチ駆動信号ＴＸを、表示装置２２に含まれる複数の共通電極３４に時分割に供給する。複数の共通電極３４はマトリクス状に配置される。
【００２５】
タッチ検出回路７６は、表示装置２２への物体のタッチを検出する。なお、本実施の形態では静電容量方式を採用しているため、検出できる物体は導電物に限られ、絶縁物は検出できない。タッチ検出回路７６は、制御回路７０の制御にしたがい、各共通電極３４にタッチ駆動信号ＴＸが供給されたときの当該共通電極３４から受信したタッチ検出信号ＲＸに基づいて、当該共通電極３４に対応するタッチ検出領域への物体のタッチを検出する。タッチ検出回路７６は、画面内の全ての共通電極３４からタッチ検出信号ＲＸを受信することにより、１画面分のタッチスキャンを完了する。
【００２６】
各タッチ検出領域は、たとえば、５ｍｍ×５ｍｍのサイズで形成される。タッチ検出回路７６は、各共通電極３４から受信したタッチ検出信号ＲＸと、所定のタッチ検出閾値を比較し、タッチ検出信号ＲＸがタッチ検出閾値以上のとき、当該タッチ検出領域にタッチ有りと判定する。タッチ検出回路７６は、タッチ有りと判定したタッチ検出領域の位置にもとづいて、画面内におけるタッチ位置を検出する。タッチ検出回路７６は、検出したタッチ位置の情報を制御回路７０に出力する。
【００２７】
制御回路７０は、タッチ検出回路７６からのタッチ位置の情報にもとづいてタッチ位置の座標データＴＤを導出する。制御回路７０は座標平面上に、タッチ有りと判定されたタッチ検出領域をプロットする。制御回路７０は、たとえば、タッチ有りと判定された複数のタッチ検出領域で形成される領域の中心または重心の座標を、タッチ位置の座標として導出する。制御回路７０は、導出した座標データＴＤをホスト１０の制御装置１２に出力する。ホスト１０の制御装置１２は、座標データＴＤに応じて各種処理を実行する。
【００２８】
制御装置１２および制御回路７０のそれぞれの構成は、ハードウェア資源とソフトウェア資源の協働、またはハードウェア資源のみにより実現できる。ハードウェア資源としてアナログ素子、ＣＰＵ、ＤＳＰ、ＲＯＭ、ＲＡＭ、ＡＳＩＣ、ＦＰＧＡ、その他のＬＳＩを利用できる。ソフトウェア資源としてファームウェア等のプログラムを利用できる。
【００２９】
以下、表示装置２２の制御を具体的に説明する。画面内の複数の共通電極３４は、それぞれが複数の共通電極３４を含む複数のグループ（以下、スキャンブロックという）に分けられる。画面内の複数の共通電極３４を複数のスキャンブロックに分ける分割パターンは、複数用意されている。複数の分割パターンはそれぞれ、画面内の複数の共通電極３４を複数のスキャンブロックに分ける境界が異なっている。タッチ検出回路７６は、分割パターンに応じて、スキャンブロックごとにタッチ検出信号ＲＸを受信する。制御回路７０は、分割パターンを切り替えることができる。制御回路７０は、画面内の複数のスキャンブロックの１つに対する部分的なタッチスキャンと、画面内の複数の画素を複数のグループに分割した複数の表示領域の１つに対する部分的な画像表示を交互に繰り返して、タッチスキャンと画像表示を時分割に制御する。
【００３０】
図４は、制御回路７０による制御タイミングの一例を示す図である。図４に示す例は、単位フレーム期間（１フレーム期間）に、１枚の画像を表示し、タッチスキャンを２回実行する例である。本実施の形態では、６０Ｈｚ駆動で画像を表示する表示装置２２を想定しているため、単位フレーム期間は約１６．７（＝１／６０）ｍｓに設定される。タッチスキャンは単位フレーム期間に２回実行されるため、１２０Ｈｚ周期でスキャンされることになる。
【００３１】
図４に示す例では、制御回路７０は、画面内に８つの表示領域を形成し、４つのスキャンブロックを形成する。８つの表示領域は、水平方向に７箇所、スライスされて垂直方向に８等分されて形成される。以下、一番上の表示領域を第１表示領域、上から２番目の表示領域を第２表示領域、・・・、一番下の表示領域を第８表示領域という。４つのスキャンブロックは、たとえば、垂直方向に３箇所、スライスされて水平方向に４等分されて形成される。以下、一番左のスキャンブロックを第１スキャンブロック、左から２番目のスキャンブロックを第２スキャンブロック、左から３番目のスキャンブロックを第３スキャンブロック、一番右のスキャンブロックを第４スキャンブロックという。
【００３２】
制御回路７０は、単位フレーム期間において、第１表示領域の画像表示→第１スキャンブロックのタッチスキャン→第２表示領域の画像表示→第２スキャンブロックのタッチスキャン→第３表示領域の画像表示→第３スキャンブロックのタッチスキャン→第４表示領域の画像表示→第４スキャンブロックのタッチスキャン→第５表示領域の画像表示→第１スキャンブロックのタッチスキャン→第６表示領域の画像表示→第２スキャンブロックのタッチスキャン→第７表示領域の画像表示→第３スキャンブロックのタッチスキャン→第８表示領域の画像表示→第４スキャンブロックのタッチスキャンの順に制御する。この制御により、制御回路７０は、画面内の上半分の画像を表示させている期間に１回目のタッチスキャンを実行し、画面内の下半分の画像を表示させている期間に２回目のタッチスキャンを実行する。
【００３３】
図５（ａ）−（ｊ）は、図４に示した制御タイミングにより、画像表示とタッチスキャンを実行する場合の具体例を示す図である。図５（ａ）は第１表示領域の画像表示、図５（ｂ）は第１スキャンブロックＲ１の１回目のタッチスキャン、図５（ｃ）は第２表示領域の画像表示、図５（ｄ）は第２スキャンブロックＲ２の１回目のタッチスキャン、図５（ｅ）は第４表示領域の画像表示、図５（ｆ）は第４スキャンブロックＲ４の１回目のタッチスキャン、図５（ｇ）は第５表示領域の画像表示、図５（ｈ）は第１スキャンブロックＲ１の２回目のタッチスキャン、図５（ｉ）は第８表示領域の画像表示、図５（ｊ）は第４スキャンブロックＲ４の２回目のタッチスキャンをそれぞれ示している。８回の部分画像の表示により、「Ａ」という全体画像が表示される。
【００３４】
図６（ａ）−（ｂ）は、２つのスキャンブロックの境界部分にタッチされた場合の具体例を示す図である。図６（ａ）は第２スキャンブロックＲ２のタッチスキャンを実行している状態を示し、図６（ｂ）は第３スキャンブロックＲ３のタッチスキャンを実行している状態を示している。タッチ箇所ＴＰは、第２スキャンブロックＲ２と第３スキャンブロックＲ３の境界を跨いでおり、図６（ａ）に示す第２スキャンブロックＲ２のタッチスキャンでは、タッチ箇所ＴＰの左側の部分ＴＰｌがタッチ箇所として検出され、図６（ｂ）に示す第３スキャンブロックＲ３のタッチスキャンでは、タッチ箇所ＴＰの右側の部分ＴＰｒがタッチ箇所として検出される。
【００３５】
上述したように、インセル型の表示装置ではフレーム期間を、表示期間とタッチスキャン期間で時分割に共有しているため、１回あたりのタッチスキャンの時間が短くなる。また、あるスキャンブロックのタッチスキャンと次のスキャンブロックのタッチスキャンとの間に、時間的な断絶が発生する。図６（ａ）−（ｂ）に示す例では、第２スキャンブロックＲ２のタッチスキャンと第３スキャンブロックＲ３のタッチスキャンとの間に、第３表示領域または第７表示領域の表示期間が挿入される。すなわち、第２スキャンブロックＲ２のタッチスキャンと第３スキャンブロックＲ３のタッチスキャンとの間に、時間的な断絶が発生する。図４に示した制御タイミングでは、あるスキャンブロックのタッチスキャンと次のスキャンブロックのタッチスキャンとの間に、約２ｍｓの表示期間が挿入される。
【００３６】
このように、２つのスキャンブロックの境界を跨いでタッチされた場合、２つのスキャンブロックで時間差を伴って、タッチが検出されることになり、タッチ位置の座標精度が不安定になる。たとえば、２つのスキャンブロックのタッチスキャン期間の間の表示期間に、ノイズが乗る可能性があり、その場合、タッチ箇所以外の領域でタッチ有りと誤検出される可能性がある。
【００３７】
図７は、２つのスキャンブロックの垂直方向の境界を跨いでタッチしている場合における、タッチ位置の座標検出結果の一例を示す図である。同じ位置をタッチしている状態でも、スキャンブロックの境界を跨いでタッチしている場合、タッチ位置の座標検出結果が左右に振れることが分かる。なお、２つのスキャンブロックの水平方向の境界を跨いでタッチしている場合は、タッチ位置の座標検出結果が上下に振れる。
【００３８】
この対策として本実施の形態では、複数のスキャンブロックの分割パターンを変えることにより、スキャンブロックの境界を固定されないようにする。複数のスキャンブロックの分割パターンを変えるとは、画面内の複数の共通電極３４をグループ化する際のグループ化規則を変えることを意味する。
【００３９】
（第１の分割パターン、第２の分割パターン）
図８（ａ）−（ｂ）は、複数のスキャンブロックの第１の分割パターンと第２の分割パターンを示す図である。第１の分割パターンおよび第２の分割パターンでは、画面を４つのスキャンブロックＲ１−Ｒ４に分割するパターンである。
【００４０】
図８（ａ）は第１の分割パターンを示している。第１の分割パターンは、図４、図５（ａ）−（ｊ）に示した分割パターンである。図８（ｂ）は第２の分割パターンを示している。第２の分割パターンは、第１の分割パターンの境界を水平方向に、１つのスキャンブロックの半分の幅の長さ、ずらしたパターンである。第２の分割パターンでは、第１スキャンブロックＲ１は、左端の第１−１スキャンブロックＲ１ａと、右端の第１−２スキャンブロックＲ１ｂに分離される。１つのスキャンブロックが必ずしも空間的に１つの塊になっている必要はなく、分割された複数（４つ）のスキャンブロックの面積が同じであればよい。
【００４１】
（第３の分割パターン、第４の分割パターン）
図９（ａ）−（ｂ）は、複数のスキャンブロックの第３の分割パターンと第４の分割パターンを示す図である。第３の分割パターンおよび第４の分割パターンも、画面を４つのスキャンブロックＲ１−Ｒ４に分割するパターンである。
【００４２】
図９（ａ）は第３の分割パターンを示している。第３の分割パターンは第１の分割パターンおよび第２の分割パターンに対して、分割方向が変わる。第３の分割パターンでは、１画面が水平方向に３箇所、スライスされて、垂直方向に４等分された４つのスキャンブロックＲ１−Ｒ４が形成される。図９（ｂ）は第４の分割パターンを示している。第４の分割パターンは、１画面が十字に４等分されて、４つのスキャンブロックＲ１−Ｒ４が形成される。
【００４３】
図１０（ａ）−（ｂ）は、第２の分割パターンと第３の分割パターンが使用される場合の具体例を示す図である。 図１０（ａ）−（ｂ）に示すタッチ箇所ＴＰは、第１の分割パターンの第２スキャンブロックＲ２と第３スキャンブロックＲ３の境界を跨いだ位置に相当する。図１０（ａ）に示すように、第１の分割パターンから第２の分割パターンに切り替えることにより、タッチ箇所ＴＰの全てが、第２の分割パターンの第３スキャンブロックＲ３に収まるようになる。同様に図１０（ｂ）に示すように、第１の分割パターンから第３の分割パターンに切り替えることにより、タッチ箇所ＴＰの全てが、第３の分割パターンの第３スキャンブロックＲ３に収まるようになる。どちらの場合も、第３スキャンブロックＲ３の１回のタッチスキャンにより、タッチ箇所ＴＰの全体がスキャンされるため、タッチ箇所ＴＰがスキャンブロックの境界を跨ぐことによる座標検出精度の低下を回避することができる。
【００４４】
（第５の分割パターン）
図１１は、複数のスキャンブロックの第５の分割パターンを示す図である。第１−第４の分割パターンでは、画面の分割数を変えずに分割位置だけを変えたが、第５の分割パターンでは画面の分割数も変える。図１１に示す第５の分割パターンでは、１画面が垂直方向に４箇所、スライスされて、水平方向に５等分された５つのスキャンブロックＲ１−Ｒ５が形成される。
【００４５】
図１２は、単位フレーム期間の途中で第１の分割パターンから第５の分割パターンに切り替わった場合の制御タイミングを示す図である。単位フレーム期間（１フレーム期間）の前半では画面の上半分が表示され、１回目のタッチスキャンが実行される。単位フレーム期間の後半では画面の下半分が表示され、２回目のタッチスキャンが実行される。単位フレーム期間の前半は、第１の分割パターンで４つのスキャンブロックＲ１−Ｒ４が形成され、４つの表示領域（第１表示領域−第４表示領域）が形成される。単位フレーム期間の後半は、第５の分割パターンで５つのスキャンブロックＲ１−Ｒ５が形成され、５つの表示領域（第５表示領域−第９表示領域）が形成される。
【００４６】
単位フレーム期間の前半と後半とで時間的に等しくする必要があるため、前半より後半のほうが、１つの表示領域の面積が小さくなり、１つの表示領域の表示時間が短くなる。同様に前半より後半のほうが、１つのスキャンブロックの面積が小さくなり、１つのスキャンブロックのスキャン時間が短くなる。制御回路７０は、スキャンブロックの分割数を変更する場合、第１基準クロック信号の周期を、変更後の分割数に応じた周期に変更する。第１基準クロック信号の周期変更に応じて、第２駆動回路７４は、表示装置２２に交互に供給する基準電圧ＶＣＯＭとタッチ駆動信号ＴＸの供給タイミングを変更する。
【００４７】
図１３（ａ）−（ｂ）は、第５の分割パターンが使用される場合の具体例を示す図である。 図１３（ａ）−（ｂ）に示すタッチ箇所ＴＰは、第１の分割パターンの第２スキャンブロックＲ２と第３スキャンブロックＲ３の境界を跨いだ位置に相当する。図１３（ａ）は第５の分割パターンの第２スキャンブロックＲ２のタッチスキャンを実行している状態を示し、図１３（ｂ）は第５の分割パターンの第３スキャンブロックＲ３のタッチスキャンを実行している状態を示している。図１３（ｂ）ではタッチ箇所ＴＰの全てが、第５の分割パターンの第３スキャンブロックＲ３に収まっている。したがって、タッチ箇所ＴＰがスキャンブロックの境界を跨ぐことによる座標検出精度の低下を回避することができる。
【００４８】
（第６の分割パターン、第７の分割パターン）
図１４（ａ）−（ｂ）は、複数のスキャンブロックの第６の分割パターンと第７の分割パターンを示す図である。図１４（ａ）は第６の分割パターンを示している。第６の分割パターンでは、１画面が水平方向に４分割され、垂直方向に２分割され、８つのスキャンブロックＲ１−Ｒ８が形成される。図１４（ｂ）は第７の分割パターンを示している。第７の分割パターンでは、１画面が水平方向に４分割され、垂直方向に４分割され、１６のスキャンブロックＲ１−Ｒ１６が形成される。
【００４９】
なお図１４（ａ）に示す第６の分割パターンにおいて、縦方向の境界線と横方向の境界線が交わる３点の交点位置にタッチ箇所が発生した場合、どちらの方向にスキャンしても検出位置が境界上になる。図１４（ｂ）に示す第７の分割パターンにおいて、縦方向の境界線と横方向の境界線が交わる９点の交点位置にタッチ箇所が発生した場合、どちらの方向にスキャンしても検出位置が境界上になる。
【００５０】
図１５は、第１の分割パターンのスキャンブロックＲ１−Ｒ４を有する表示装置２２の各共通電極３４からタッチ検出信号ＲＸを受信するための回路構成例を示す図である。タッチ検出回路７６は、マルチプレクサ７６１とＡ／Ｄコンバータ７６２を含む。マルチプレクサ７６１は、４つの入力ポートを有する。マルチプレクサ７６１の第１入力ポートは、第１スキャンブロックＲ１に含まれる複数の共通電極３４とそれぞれ信号線３６で接続されている。マルチプレクサ７６１の第２入力ポートは、第２スキャンブロックＲ２に含まれる複数の共通電極３４とそれぞれ信号線３６で接続されている。マルチプレクサ７６１の第３入力ポートは、第３スキャンブロックＲ３に含まれる複数の共通電極３４とそれぞれ信号線３６で接続されている。マルチプレクサ７６１の第４入力ポートは、第４スキャンブロックＲ４に含まれる複数の共通電極３４とそれぞれ信号線３６で接続されている。なお、図１５では図面を簡略化するために共通電極と信号線を適宜、省略して描いている。
【００５１】
マルチプレクサ７６１は、制御回路７０の制御にしたがい、４つの入力ポートの１つを選択し、選択された入力ポートに入力されるタッチ検出信号ＲＸをＡ／Ｄコンバータ７６２に出力する。Ａ／Ｄコンバータ７６２は、マルチプレクサ７６１から入力されるアナログのタッチ検出信号Ｒを、デジタルのタッチ検出信号に変換する。
【００５２】
図１６は、制御回路７０から図１５のマルチプレクサ７６１に供給される入力ポート選択信号を示す図である。制御回路７０は、分割パターンに応じた入力ポート選択信号を生成し、マルチプレクサ７６１に供給する。図１６は、第１の分割パターンにおいて、１回のスキャンサイクルで使用される入力ポート選択信号を示している。マルチプレクサ７６１は、第１入力ポート選択信号ＭＵＸ１がハイレベルになると第１入力ポートを選択し、第２入力ポート選択信号ＭＵＸ２がハイレベルになると第２入力ポートを選択し、第３入力ポート選択信号ＭＵＸ３がハイレベルになると第３入力ポートを選択し、第４入力ポート選択信号ＭＵＸ４がハイレベルになると第４入力ポートを選択する。
【００５３】
図１７は、第１の分割パターンと第２の分割パターンとを切り替え可能な表示装置２２の各共通電極３４からタッチ検出信号ＲＸを受信するための回路構成例を示す図である。表示装置２２の画面領域は、垂直方向に７箇所、スライスされて、水平方向に８等分された８つのサブブロックＲｓ１−Ｒｓ８を有する。
【００５４】
タッチ検出回路７６は、第１マルチプレクサ７６１ａ、第２マルチプレクサ７６１ｂおよびＡ／Ｄコンバータ７６２を含む。第１マルチプレクサ７６１ａは、４つの入力ポートを有する。第１マルチプレクサ７６１ａの第１入力ポートは、第１サブブロックＲｓ１に含まれる複数の共通電極３４とそれぞれ信号線３６で接続されている。第１マルチプレクサ７６１ａの第２入力ポートは、第３サブブロックＲｓ３に含まれる複数の共通電極３４とそれぞれ信号線３６で接続されている。第１マルチプレクサ７６１ａの第３入力ポートは、第５サブブロックＲｓ５に含まれる複数の共通電極３４とそれぞれ信号線３６で接続されている。第１マルチプレクサ７６１ａの第４入力ポートは、第７サブブロックＲｓ７に含まれる複数の共通電極３４とそれぞれ信号線３６で接続されている。
【００５５】
第２マルチプレクサ７６１ｂは、４つの入力ポートを有する。第２マルチプレクサ７６１ｂの第１入力ポートは、第２サブブロックＲｓ２に含まれる複数の共通電極３４とそれぞれ信号線３６で接続されている。第２マルチプレクサ７６１ｂの第２入力ポートは、第４サブブロックＲｓ４に含まれる複数の共通電極３４とそれぞれ信号線３６で接続されている。第２マルチプレクサ７６１ｂの第３入力ポートは、第６サブブロックＲｓ６に含まれる複数の共通電極３４とそれぞれ信号線３６で接続されている。第２マルチプレクサ７６１ｂの第４入力ポートは、第８サブブロックＲｓ８に含まれる複数の共通電極３４とそれぞれ信号線３６で接続されている。
【００５６】
第１マルチプレクサ７６１ａは、制御回路７０の制御にしたがい、４つの入力ポートの１つを選択し、選択された入力ポートに入力されるタッチ検出信号ＲＸをＡ／Ｄコンバータ７６２に出力する。第２マルチプレクサ７６１ｂは、制御回路７０の制御にしたがい、４つの入力ポートの１つを選択し、選択された入力ポートに入力されるタッチ検出信号ＲＸをＡ／Ｄコンバータ７６２に出力する。Ａ／Ｄコンバータ７６２は、第１マルチプレクサ７６１ａまたは第２マルチプレクサ７６１ｂから入力されるアナログのタッチ検出信号Ｒを、デジタルのタッチ検出信号に変換する。
【００５７】
図１８（ａ）−（ｂ）は、図１７の表示装置２２において第１の分割パターンが選択される場合の、スキャンブロックＲ１−Ｒ４と、制御回路７０から第１マルチプレクサ７６１ａおよび第２マルチプレクサ７６１ｂに供給される入力ポート選択信号を示す図である。図１８（ａ）に示すように第１の分割パターンが選択される場合、第１サブブロックＲｓ１と第２サブブロックＲｓ２が第１スキャンブロックＲ１を形成し、第３サブブロックＲｓ３と第４サブブロックＲｓ４が第２スキャンブロックＲ２を形成し、第５サブブロックＲｓ５と第６サブブロックＲｓ６が第３スキャンブロックＲ３を形成し、第７サブブロックＲｓ７と第８サブブロックＲｓ８が第４スキャンブロックＲ４を形成する。
【００５８】
図１８（ｂ）は、第１の分割パターンにおいて、１回のスキャンサイクルで使用される入力ポート選択信号を示している。第１マルチプレクサ７６１ａは、第１入力ポート選択信号ＭＵＸａ１がハイレベルになると第１入力ポートを選択し、第２入力ポート選択信号ＭＵＸａ２がハイレベルになると第２入力ポートを選択し、第３入力ポート選択信号ＭＵＸａ３がハイレベルになると第３入力ポートを選択し、第４入力ポート選択信号ＭＵＸａ４がハイレベルになると第４入力ポートを選択する。第２マルチプレクサ７６１ｂは、第１入力ポート選択信号ＭＵＸｂ１がハイレベルになると第１入力ポートを選択し、第２入力ポート選択信号ＭＵＸｂ２がハイレベルになると第２入力ポートを選択し、第３入力ポート選択信号ＭＵＸｂ３がハイレベルになると第３入力ポートを選択し、第４入力ポート選択信号ＭＵＸｂ４がハイレベルになると第４入力ポートを選択する。
【００５９】
第１マルチプレクサ７６１ａの第１入力ポート選択信号ＭＵＸａ１と第２マルチプレクサ７６１ｂの第１入力ポート選択信号ＭＵＸｂ１、第１マルチプレクサ７６１ａの第２入力ポート選択信号ＭＵＸａ２と第２マルチプレクサ７６１ｂの第２入力ポート選択信号ＭＵＸｂ２、第１マルチプレクサ７６１ａの第３入力ポート選択信号ＭＵＸａ３と第２マルチプレクサ７６１ｂの第３入力ポート選択信号ＭＵＸｂ３、および第１マルチプレクサ７６１ａの第４入力ポート選択信号ＭＵＸａ４と第２マルチプレクサ７６１ｂの第４入力ポート選択信号ＭＵＸｂ４がそれぞれ同期している。
【００６０】
図１９（ａ）−（ｂ）は、図１７の表示装置２２において第２の分割パターンが選択される場合の、スキャンブロックＲ１−Ｒ４と、制御回路７０から第１マルチプレクサ７６１ａおよび第２マルチプレクサ７６１ｂに供給される入力ポート選択信号を示す図である。図１９（ａ）に示すように第２の分割パターンが選択される場合、第１サブブロックＲｓ１と第８サブブロックＲｓ８が第１スキャンブロックＲ１ａ、Ｒ１ｂを形成し、第２サブブロックＲｓ２と第３サブブロックＲｓ３が第２スキャンブロックＲ２を形成し、第４サブブロックＲｓ４と第５サブブロックＲｓ５が第３スキャンブロックＲ３を形成し、第６サブブロックＲｓ６と第７サブブロックＲｓ７が第４スキャンブロックＲ４を形成する。
【００６１】
図１９（ｂ）は、第２の分割パターンにおいて、１回のスキャンサイクルで使用される入力ポート選択信号を示している。第１マルチプレクサ７６１ａの第１入力ポート選択信号ＭＵＸａ１と第２マルチプレクサ７６１ｂの第４入力ポート選択信号ＭＵＸｂ４、第１マルチプレクサ７６１ａの第２入力ポート選択信号ＭＵＸａ２と第２マルチプレクサ７６１ｂの第１入力ポート選択信号ＭＵＸｂ１、第１マルチプレクサ７６１ａの第３入力ポート選択信号ＭＵＸａ３と第２マルチプレクサ７６１ｂの第２入力ポート選択信号ＭＵＸｂ２、および第１マルチプレクサ７６１ａの第４入力ポート選択信号ＭＵＸａ４と第２マルチプレクサ７６１ｂの第３入力ポート選択信号ＭＵＸｂ３がそれぞれ同期している。
【００６２】
図２０は、第１の分割パターンと第４の分割パターンとを切り替え可能な表示装置２２の各共通電極３４からタッチ検出信号ＲＸを受信するための回路構成例を示す図である。表示装置２２の画面領域は、水平方向に４分割され、垂直方向に２分割され、８等分された８つのサブブロックＲｓ１−Ｒｓ８を有する。
【００６３】
タッチ検出回路７６は、第１マルチプレクサ７６１ａ、第２マルチプレクサ７６１ｂおよびＡ／Ｄコンバータ７６２を含む。第１マルチプレクサ７６１ａは、４つの入力ポートを有する。第１マルチプレクサ７６１ａの第１入力ポートは、第１サブブロックＲｓ１に含まれる複数の共通電極３４とそれぞれ信号線３６で接続されている。第１マルチプレクサ７６１ａの第２入力ポートは、第６サブブロックＲｓ６に含まれる複数の共通電極３４とそれぞれ信号線３６で接続されている。第１マルチプレクサ７６１ａの第３入力ポートは、第３サブブロックＲｓ３に含まれる複数の共通電極３４とそれぞれ信号線３６で接続されている。第１マルチプレクサ７６１ａの第４入力ポートは、第８サブブロックＲｓ８に含まれる複数の共通電極３４とそれぞれ信号線３６で接続されている。
【００６４】
第２マルチプレクサ７６１ｂは、４つの入力ポートを有する。第２マルチプレクサ７６１ｂの第１入力ポートは、第５サブブロックＲｓ５に含まれる複数の共通電極３４とそれぞれ信号線３６で接続されている。第２マルチプレクサ７６１ｂの第２入力ポートは、第２サブブロックＲｓ２に含まれる複数の共通電極３４とそれぞれ信号線３６で接続されている。第２マルチプレクサ７６１ｂの第３入力ポートは、第７サブブロックＲｓ７に含まれる複数の共通電極３４とそれぞれ信号線３６で接続されている。第２マルチプレクサ７６１ｂの第４入力ポートは、第４サブブロックＲｓ４に含まれる複数の共通電極３４とそれぞれ信号線３６で接続されている。
【００６５】
第１マルチプレクサ７６１ａは、制御回路７０の制御にしたがい、４つの入力ポートの１つを選択し、選択された入力ポートに入力されるタッチ検出信号ＲＸをＡ／Ｄコンバータ７６２に出力する。第２マルチプレクサ７６１ｂは、制御回路７０の制御にしたがい、４つの入力ポートの１つを選択し、選択された入力ポートに入力されるタッチ検出信号ＲＸをＡ／Ｄコンバータ７６２に出力する。Ａ／Ｄコンバータ７６２は、第１マルチプレクサ７６１ａまたは第２マルチプレクサ７６１ｂから入力されるアナログのタッチ検出信号Ｒを、デジタルのタッチ検出信号に変換する。
【００６６】
図２１（ａ）−（ｂ）は、図２０の表示装置２２において第１の分割パターンが選択される場合の、スキャンブロックＲ１−Ｒ４と、制御回路７０から第１マルチプレクサ７６１ａおよび第２マルチプレクサ７６１ｂに供給される入力ポート選択信号を示す図である。図２１（ａ）に示すように第１の分割パターンが選択される場合、第１サブブロックＲｓ１と第５サブブロックＲｓ５が第１スキャンブロックＲ１を形成し、第２サブブロックＲｓ２と第６サブブロックＲｓ６が第２スキャンブロックＲ２を形成し、第３サブブロックＲｓ３と第７サブブロックＲｓ７が第３スキャンブロックＲ３を形成し、第４サブブロックＲｓ４と第８サブブロックＲｓ８が第４スキャンブロックＲ４を形成する。
【００６７】
図２１（ｂ）は、第１の分割パターンにおいて、１回のスキャンサイクルで使用される入力ポート選択信号を示している。第１マルチプレクサ７６１ａの第１入力ポート選択信号ＭＵＸａ１と第２マルチプレクサ７６１ｂの第１入力ポート選択信号ＭＵＸｂ１、第１マルチプレクサ７６１ａの第２入力ポート選択信号ＭＵＸａ２と第２マルチプレクサ７６１ｂの第２入力ポート選択信号ＭＵＸｂ２、第１マルチプレクサ７６１ａの第３入力ポート選択信号ＭＵＸａ３と第２マルチプレクサ７６１ｂの第３入力ポート選択信号ＭＵＸｂ３、および第１マルチプレクサ７６１ａの第４入力ポート選択信号ＭＵＸａ４と第２マルチプレクサ７６１ｂの第４入力ポート選択信号ＭＵＸｂ４がそれぞれ同期している。
【００６８】
図２２（ａ）−（ｂ）は、図２０の表示装置２２において第４の分割パターンが選択される場合の、スキャンブロックＲ１−Ｒ４と、制御回路７０から第１マルチプレクサ７６１ａおよび第２マルチプレクサ７６１ｂに供給される入力ポート選択信号を示す図である。図２２（ａ）に示すように第４の分割パターンが選択される場合、第１サブブロックＲｓ１と第２サブブロックＲｓ２が第１スキャンブロックＲ１を形成し、第５サブブロックＲｓ５と第６サブブロックＲｓ６が第２スキャンブロックＲ２を形成し、第３サブブロックＲｓ３と第４サブブロックＲｓ４が第３スキャンブロックＲ３を形成し、第７サブブロックＲｓ７と第８サブブロックＲｓ８が第４スキャンブロックＲ４を形成する。
【００６９】
図２２（ｂ）は、第４の分割パターンにおいて、１回のスキャンサイクルで使用される入力ポート選択信号を示している。第１マルチプレクサ７６１ａの第１入力ポート選択信号ＭＵＸａ１と第２マルチプレクサ７６１ｂの第２入力ポート選択信号ＭＵＸｂ２、第１マルチプレクサ７６１ａの第２入力ポート選択信号ＭＵＸａ２と第２マルチプレクサ７６１ｂの第１入力ポート選択信号ＭＵＸｂ１、第１マルチプレクサ７６１ａの第３入力ポート選択信号ＭＵＸａ３と第２マルチプレクサ７６１ｂの第４入力ポート選択信号ＭＵＸｂ４、および第１マルチプレクサ７６１ａの第４入力ポート選択信号ＭＵＸａ４と第２マルチプレクサ７６１ｂの第３入力ポート選択信号ＭＵＸｂ３がそれぞれ同期している。
【００７０】
図２３は、第１の分割パターンと第９の分割パターンとを切り替え可能な表示装置２２の各共通電極３４からタッチ検出信号ＲＸを受信するための回路構成例を示す図である。表示装置２２の画面領域は、水平方向に４分割され、垂直方向に４分割され、１６等分された１６のサブブロックＲｓ１−Ｒｓ１６を有する。
【００７１】
タッチ検出回路７６は、第１マルチプレクサ７６１ａ、第２マルチプレクサ７６１ｂおよびＡ／Ｄコンバータ７６２を含む。第１マルチプレクサ７６１ａは、４つの入力ポートを有する。第１マルチプレクサ７６１ａの第１入力ポートは、第１サブブロックＲｓ１および第９サブブロックＲｓ９に含まれる複数の共通電極３４とそれぞれ信号線３６で接続されている。なお、第１サブブロックＲｓ１に含まれる複数の共通電極３４にそれぞれ接続される信号線３６と、第９サブブロックＲｓ９に含まれる複数の共通電極３４にそれぞれ接続される信号線３６は途中から共有されてもよい。以下に説明する２つのサブブロック間に含まれる複数の共通電極３４に接続される信号線３６も同様に途中から共有されてもよい。
【００７２】
第１マルチプレクサ７６１ａの第２入力ポートは、第６サブブロックＲｓ６および第１４サブブロックＲｓ１４に含まれる複数の共通電極３４とそれぞれ信号線３６で接続されている。第１マルチプレクサ７６１ａの第３入力ポートは、第３サブブロックＲｓ３および第１１サブブロックＲｓ１１に含まれる複数の共通電極３４とそれぞれ信号線３６で接続されている。第１マルチプレクサ７６１ａの第４入力ポートは、第８サブブロックＲｓ８および第１６サブブロックＲｓ１６に含まれる複数の共通電極３４とそれぞれ信号線３６で接続されている。
【００７３】
第２マルチプレクサ７６１ｂは、４つの入力ポートを有する。第２マルチプレクサ７６１ｂの第１入力ポートは、第５サブブロックＲｓ５および第１３サブブロックＲｓ１３に含まれる複数の共通電極３４とそれぞれ信号線３６で接続されている。第２マルチプレクサ７６１ｂの第２入力ポートは、第２サブブロックＲｓ２および第１０サブブロックＲｓ１０に含まれる複数の共通電極３４とそれぞれ信号線３６で接続されている。第２マルチプレクサ７６１ｂの第３入力ポートは、第７サブブロックＲｓ７および第１５サブブロックＲｓ１５に含まれる複数の共通電極３４とそれぞれ信号線３６で接続されている。第２マルチプレクサ７６１ｂの第４入力ポートは、第４サブブロックＲｓ４および第１２サブブロックＲｓ１２に含まれる複数の共通電極３４とそれぞれ信号線３６で接続されている。
【００７４】
第１マルチプレクサ７６１ａは、制御回路７０の制御にしたがい、４つの入力ポートの１つを選択し、選択された入力ポートに入力されるタッチ検出信号ＲＸをＡ／Ｄコンバータ７６２に出力する。第２マルチプレクサ７６１ｂは、制御回路７０の制御にしたがい、４つの入力ポートの１つを選択し、選択された入力ポートに入力されるタッチ検出信号ＲＸをＡ／Ｄコンバータ７６２に出力する。Ａ／Ｄコンバータ７６２は、第１マルチプレクサ７６１ａまたは第２マルチプレクサ７６１ｂから入力されるアナログのタッチ検出信号Ｒを、デジタルのタッチ検出信号に変換する。
【００７５】
図２４（ａ）−（ｂ）は、図２３の表示装置２２において第１の分割パターンが選択される場合の、スキャンブロックＲ１−Ｒ４と、制御回路７０から第１マルチプレクサ７６１ａおよび第２マルチプレクサ７６１ｂに供給される入力ポート選択信号を示す図である。図２４（ａ）に示すように第１の分割パターンが選択される場合、第１サブブロックＲｓ１と第５サブブロックＲｓ５と第９サブブロックＲｓ９と第１３サブブロックＲｓ１３が第１スキャンブロックＲ１を形成し、第２サブブロックＲｓ２と第６サブブロックＲｓ６と第１０サブブロックＲｓ１０と第１４サブブロックＲｓ１４が第２スキャンブロックＲ２を形成し、第３サブブロックＲｓ３と第７サブブロックＲｓ７と第１１サブブロックＲｓ１１と第１５サブブロックＲｓ１５が第３スキャンブロックＲ３を形成し、第４サブブロックＲｓ４と第８サブブロックＲｓ８と第１２サブブロックＲｓ１２と第１６サブブロックＲｓ１６が第４スキャンブロックＲ４を形成する。
【００７６】
図２４（ｂ）は、第１の分割パターンにおいて、１回のスキャンサイクルで使用される入力ポート選択信号を示している。第１マルチプレクサ７６１ａの第１入力ポート選択信号ＭＵＸａ１と第２マルチプレクサ７６１ｂの第１入力ポート選択信号ＭＵＸｂ１、第１マルチプレクサ７６１ａの第２入力ポート選択信号ＭＵＸａ２と第２マルチプレクサ７６１ｂの第２入力ポート選択信号ＭＵＸｂ２、第１マルチプレクサ７６１ａの第３入力ポート選択信号ＭＵＸａ３と第２マルチプレクサ７６１ｂの第３入力ポート選択信号ＭＵＸｂ３、および第１マルチプレクサ７６１ａの第４入力ポート選択信号ＭＵＸａ４と第２マルチプレクサ７６１ｂの第４入力ポート選択信号ＭＵＸｂ４がそれぞれ同期がとれている。
【００７７】
図２５（ａ）−（ｂ）は、図２３の表示装置２２において第９の分割パターンが選択される場合の、スキャンブロックＲ１−Ｒ４と、制御回路７０から第１マルチプレクサ７６１ａおよび第２マルチプレクサ７６１ｂに供給される入力ポート選択信号を示す図である。図２５（ａ）に示すように第９の分割パターンが選択される場合、第１サブブロックＲｓ１と第２サブブロックＲｓ２と第９サブブロックＲｓ９と第１０サブブロックＲｓ１０が第１スキャンブロックＲ１ａ、Ｒ１ｂを形成し、第５サブブロックＲｓ５と第６サブブロックＲｓ６と第１３サブブロックＲｓ１３と第１４サブブロックＲｓ１４が第２スキャンブロックＲ２ａ、Ｒ２ｂを形成し、第３サブブロックＲｓ３と第４サブブロックＲｓ４と第１１サブブロックＲｓ１１と第１２サブブロックＲｓ１２が第３スキャンブロックＲ３ａ、Ｒ３ｂを形成し、第７サブブロックＲｓ７と第８サブブロックＲｓ８と第１５サブブロックＲｓ１５と第１６サブブロックＲｓ１６が第４スキャンブロックＲ４ａ、Ｒ４ｂを形成する。
【００７８】
図２５（ｂ）は、第９の分割パターンにおいて、１回のスキャンサイクルで使用される入力ポート選択信号を示している。第１マルチプレクサ７６１ａの第１入力ポート選択信号ＭＵＸａ１と第２マルチプレクサ７６１ｂの第２入力ポート選択信号ＭＵＸｂ２、第１マルチプレクサ７６１ａの第２入力ポート選択信号ＭＵＸａ２と第２マルチプレクサ７６１ｂの第１入力ポート選択信号ＭＵＸｂ１、第１マルチプレクサ７６１ａの第３入力ポート選択信号ＭＵＸａ３と第２マルチプレクサ７６１ｂの第４入力ポート選択信号ＭＵＸｂ４、および第１マルチプレクサ７６１ａの第４入力ポート選択信号ＭＵＸａ４と第２マルチプレクサ７６１ｂの第３入力ポート選択信号ＭＵＸｂ３がそれぞれ同期している。
【００７９】
図１７、図２０、図２３に、複数の分割パターンを切り替え可能な回路構成例を示したが、信号線の接続方法を変えたり、マルチプレクサの数を増やしたりすることにより、様々な分割パターンを形成できる表示モジュール２０を実現できる。分割数が異なる分割パターン間の切り替えも可能となる。
【００８０】
（第１の動作例）
図２６は、実施の形態に係る制御装置２４の第１の動作例を説明するためのフローチャートである。制御装置２４の図示しない不揮発メモリ（たとえば、ＥＥＰＲＯＭ、フラッシュメモリ）内に、スキャンブロックの少なくとも２つの分割パターンと、それら各分割パターンの表示とスキャンの制御タイミングが予め保持されている。制御回路７０は、不揮発メモリ内に保持されている複数の分割パターンから、使用する分割パターンを選択する。最初に使用する分割パターンは、予め設定された分割パターンであってもよいし、ランダムに選択された分割パターンであってもよい。
【００８１】
表示モジュール２０の電源がオンになると（Ｓ１０のＹ）、制御回路７０は、使用している分割パターンと、当該分割パターンにおける表示とスキャンの制御タイミングにしたがい、画面内の指定の表示領域に画像を表示させる（Ｓ１１）。具体的には、制御回路７０は、第２駆動回路７４に基準電圧ＶＣＯＭを出力させ、第１駆動回路７２に、当該表示領域に表示させる画像データをソース線に順次供給させ、当該表示領域に含まれる複数の画素を行単位で選択するための選択信号をゲート線に順次供給させる。
【００８２】
つぎに、制御回路７０は、使用している分割パターンと、当該分割パターンにおける表示とスキャンの制御タイミングにしたがい、画面内の指定のスキャンブロックのタッチスキャンを実行する（Ｓ１２）。具体的には、制御回路７０は、第２駆動回路７４にタッチ駆動信号ＴＸを、当該スキャンブロックに含まれる複数の共通電極３４に対して供給させ、タッチ検出回路７６に、当該スキャンブロックに含まれる複数の共通電極３４からタッチ検出信号ＲＸを受信させる。
【００８３】
当該スキャンブロックへのタッチが検出されると（Ｓ１３のＹ）、制御回路７０は、タッチ位置がスキャンブロックの境界を跨いでいるか否か判定する（Ｓ１４）。制御回路７０は、たとえば、タッチ検出回路７６から取得したタッチ位置の情報にもとづいて導出したタッチ位置の座標が、スキャンブロックの境界から所定の範囲内にある場合に、タッチ位置がスキャンブロックの境界を跨いでいると判定する。また、タッチ検出回路７６が受信したタッチ検出信号ＲＸのピークが、スキャンブロックの境界上に位置する共通電極３４の検出信号ＲＸ、またはスキャンブロックの境界に最も隣接している共通電極３４の検出信号ＲＸで発生している場合、タッチ位置がスキャンブロックの境界を跨いでいると判定してもよい。
【００８４】
タッチ位置がスキャンブロックの境界を跨いでいる場合（Ｓ１４のＹ）、制御回路７０は、スキャンブロックの分割パターンを別の分割パターンに切り替える（Ｓ１５）。その際、制御回路７０は、不揮発メモリ内に保持されている複数の分割パターンから、設定された順番にまたはランダムに次に使用する分割パターンを選択する。なお、制御回路７０は、不揮発メモリ内に保持されている複数の分割パターンの内、検出されたタッチ位置が、スキャンブロックの境界を跨いでいる分割パターンを選択候補から除外してもよい。この場合、検出されたタッチ位置が、スキャンブロックの境界を跨いでいない分割パターンに切り替えることができる。ステップＳ１４において、タッチ位置がスキャンブロックの境界を跨いでいない場合（Ｓ１４のＮ）、ステップＳ１５の処理はスキップされる。すなわち、分割パターンの切り替えは発生しない。
【００８５】
制御回路７０は、使用している分割パターンと、当該分割パターンにおける表示とスキャンの制御タイミングにしたがい、次の表示領域を指定し、次のスキャンブロックを指定する（Ｓ１７）。以上に説明したステップＳ１１−ステップＳ１７の処理が、表示モジュール２０の電源がオフになるまで（Ｓ１０のＮ）、繰り返し実行される。
【００８６】
第１の動作例の最も簡単な例として、第１の分割パターンと第２の分割パターンを保持し、スキャンブロックの境界を跨いだ位置にタッチが検出されるたびに、両者の間で、分割パターンを切り替える例が挙げられる。
【００８７】
図２７（ａ）−（ｂ）は、第１の分割パターンと第２の分割パターンの間で分割パターンを切り替える制御において、マルチタッチが検出された場合の制御例を説明するための図である。図２７（ａ）−（ｂ）は、２本の指が画面にタッチされる例を示している。図２７（ａ）は第１の分割パターンが選択されている状態を示し、図２７（ｂ）は第２の分割パターンが選択されている状態を示している。
【００８８】
第１のタッチ箇所ＴＰ１は、第１の分割パターンにおける第１スキャンブロックＲ１と第２スキャンブロックＲ２の境界を跨いだ位置で検出されている。第２のタッチ箇所ＴＰ２は、第１の分割パターンにおける第３スキャンブロックＲ３内に全て収まっている。第１の動作例では、スキャンブロックの境界を跨いだ位置でタッチが検出されると分割パターンが切り替わる。図２７（ａ）−（ｂ）に示す例では、第１の分割パターンから第２の分割パターンに切り替わる。
【００８９】
第２の分割パターンでは、第１のタッチ箇所ＴＰ１は第２スキャンブロックＲ２内に全て収まっている。しかしながら第２の分割パターンでは、第２のタッチ箇所ＴＰ２が、第３スキャンブロックＲ３と第４スキャンブロックＲ４の境界を跨いだ位置で検出される。したがって、図２７（ａ）−（ｂ）に示す例では、第２の分割パターンから第１の分割パターンに再度、切り替わる。以下、２本の指によるタッチが継続している間、第１の分割パターンと第２の分割パターンの切り替えを繰り返すことになる。
【００９０】
上述したように本実施の形態では、単位フレーム期間に２回のタッチスキャンを実行する。図４に示した例では、１２０Ｈｚの周期でタッチスキャンが実行される。この場合、制御回路７０は、約８．３（＝１／１２０）ｍｓの間隔で、タッチ位置の座標データＴＤをホスト１０の制御装置１２に出力することができる。
【００９１】
図２７（ａ）−（ｂ）に示すように、マルチタッチが検出され、少なくとも１つのタッチ箇所がスキャンブロックの境界を跨いでいる場合、制御回路７０は、単位フレーム期間に１回、タッチ位置の座標データＴＤをホスト１０の制御装置１２に出力する。すなわち、制御回路７０は、約１６．７（＝１／６０）ｍｓの間隔で、タッチ位置の座標データＴＤをホスト１０の制御装置１２に出力する。
【００９２】
具体的には、制御回路７０は、単位フレーム期間の前半において、ある分割パターンにおけるスキャンブロックの境界を跨いでいない位置で検出されたタッチ位置の座標と、単位フレーム期間の後半において、別の分割パターンにおけるスキャンブロックの境界を跨いでいない位置で検出されたタッチ位置の座標を含む、タッチ位置の座標データＴＤをホスト１０の制御装置１２に出力する。図２７（ａ）−（ｂ）に示す例では、制御回路７０は、単位フレーム期間の前半において第２のタッチ箇所ＴＰ２で検出されたタッチ位置の座標と、単位フレーム期間の後半において第１のタッチ箇所ＴＰ１で検出されたタッチ位置の座標を含む、タッチ位置の座標データＴＤをホスト１０の制御装置１２に出力する。
【００９３】
（第２の動作例）
図２８は、実施の形態に係る制御装置２４の第２の動作例を説明するためのフローチャートである。第２の動作例でも、制御装置２４の図示しない不揮発メモリ内に、スキャンブロックの少なくとも２つの分割パターンと、それら各分割パターンにおける表示とスキャンの制御タイミングが予め保持されている。制御回路７０は、不揮発メモリ内に保持されている複数の分割パターンから、使用する分割パターンを選択する。最初に使用する分割パターンは、予め設定された分割パターンであってもよいし、ランダムに選択された分割パターンであってもよい。
【００９４】
表示モジュール２０の電源がオンになると（Ｓ２０のＹ）、制御回路７０は、使用している分割パターンと、当該分割パターンにおける表示とスキャンの制御タイミングにしたがい、画面内の指定の表示領域に画像を表示させる（Ｓ２１）。つぎに、制御回路７０は、使用している分割パターンと、当該分割パターンにおける表示とスキャンの制御タイミングにしたがい、画面内の指定のスキャンブロックのタッチスキャンを実行する（Ｓ２２）。
【００９５】
制御回路７０は、現在の分割パターンで、設定された回数のスキャンサイクルを実行したか否か判定する（Ｓ２３）。すなわち、制御回路７０は、現在の分割パターンで、ｎ（ｎは自然数）画面分のタッチスキャンを実行したか否か判定する。設定された回数のスキャンサイクルを実行済みの場合（Ｓ２３のＹ）、制御回路７０は、スキャンブロックの分割パターンを別の分割パターンに切り替える（Ｓ２４）。その際、制御回路７０は、不揮発メモリ内に保持されている複数の分割パターンから、設定された順番にまたはランダムに次に使用する分割パターンを選択する。
【００９６】
制御回路７０は、使用している分割パターンと、当該分割パターンにおける表示とスキャンの制御タイミングにしたがい、次の表示領域を指定し、次のスキャンブロックを指定する（Ｓ２５）。以上に説明したステップＳ２１−ステップＳ２５の処理が、表示モジュール２０の電源がオフになるまで（Ｓ２０のＮ）、繰り返し実行される。
【００９７】
第２の動作例の最も簡単な例として、第１の分割パターンと第２の分割パターンを保持し、タッチ検出の有無に関わらず、単位フレーム期間の前半は第１の分割パターンを選択し、後半は第２の分割パターンを選択する例が挙げられる。
【００９８】
以上説明したように本実施の形態によれば、スキャンブロックの分割パターンを切り替えることにより、スキャンブロックの境界が固定されることを防止でき、スキャンブロックの境界において低下していたタッチ位置座標の検出精度を向上させることができる。第１の動作例では、スキャンブロックの境界を跨ぐタッチ検出をトリガとして、スキャンブロックの分割パターンを切り替えることにより、効率的な分割パターンの切り替え制御が可能となる。すなわち、スキャンブロックの境界を跨ぐタッチが検出されない間は、分割パターンを切り替えないため、分割パターンの切り替え回数を抑えることができる。第２の動作例では、スキャンブロックの境界を跨ぐ位置でタッチが検出されたか否かを判定する必要がないため、第１の動作例と比較して、分割パターンの切り替え制御を単純化することができる。
【００９９】
以上、本開示を実施の形態をもとに説明した。実施の形態は例示であり、それらの各構成要素または各処理プロセスの組み合わせに、いろいろな変形例が可能なこと、またそうした変形例も本開示の範囲にあることは当業者に理解されるところである。
【０１００】
上述の第１の動作例または第２の動作例では、制御回路７０は、不揮発メモリ内に保持されているスキャンブロックの複数の分割パターンから、使用する分割パターンを選択した。この点、制御回路７０が、配線などのハードウェアの制約の範囲内において、任意にスキャンブロックの分割パターンを生成してもよい。
【０１０１】
なお、実施の形態は、以下の項目によって特定されてもよい。
【０１０２】
［項目１］
画像表示およびタッチ検出に共有される複数の共通電極（３４）を備える表示装置（２２）と、
前記複数の共通電極（３４）のそれぞれにタッチ駆動信号を供給する駆動回路（７４）と、
前記複数の共通電極（３４）のそれぞれから受信したタッチ検出信号に基づいて、前記表示装置（２２）への物体のタッチを検出するタッチ検出回路（７６）と、を備え、
前記複数の共通電極（３４）は、それぞれが複数の共通電極（３４）を含む複数のグループに分けられ、
前記複数の共通電極（３４）を前記複数のグループに分ける分割パターンは２以上あり、
前記タッチ検出回路（７６）は、前記複数の共通電極（３４）からグループごとにタッチ検出信号を受信する、
表示システム（２０）。
これによれば、それぞれが複数の共通電極（３４）を含む複数のグループの境界位置を変えることができる。
［項目２］
さらに、前記タッチ検出回路（７６）を制御する制御回路（７０）を備え、
前記制御回路（７０）は、前記複数の共通電極（３４）を前記複数のグループに分ける前記分割パターンを切り替え、
前記タッチ検出回路（７６）は、前記制御回路（７０）において切り替えられた分割パターンに応じて、前記複数の共通電極（３４）からグループごとにタッチ検出信号を受信する、
項目１に記載の表示システム（２０）。
これによれば、制御回路（７０）が必要に応じて分割パターンを切り替えることができる。
［項目３］
前記２以上の分割パターンはそれぞれ、前記複数の共通電極（３４）を前記複数のグループに分ける境界が異なる、
項目１または２に記載の表示システム（２０）。
これによれば、複数のグループ間の境界位置を変えることができる。
［項目４］
前記駆動回路（７４）は、前記複数の共通電極（３４）のそれぞれに前記タッチ駆動信号および基準電圧を時分割で供給し、
前記表示装置（２２）におけるフレーム期間は、前記表示装置（２２）が画像を表示する表示期間と、前記タッチ検出回路（７６）が前記表示装置（２２）への物体のタッチを検出するタッチ検出期間とを含む、
項目１から３のいずれか１項に記載の表示システム（２０）。
これによれば、タッチ検出用の電極と表示用の電極を共有することができる。
［項目５］
前記制御回路（７０）は、前記複数のグループの境界を跨いでタッチが検出された場合、前記複数の共通電極（３４）の分割パターンを別の分割パターンに切り替える、
項目２に記載の表示システム（２０）。
これによれば、複数のグループの境界を跨いでタッチが検出された場合において低下していたタッチ位置座標の検出精度を向上させることができる。
［項目６］
前記制御回路（７０）は、前記複数のグループの境界を跨いでタッチが検出された場合、前記複数の共通電極（３４）の分割パターンを、前記タッチが検出された位置に前記複数のグループの境界がない別の分割パターンに切り替える、
項目２または５に記載の表示システム（２０）。
これによれば、１回の分割パターンの切り替えで確実に、タッチ位置が複数のグループの境界を跨いでいない分割パターンに切り替えることができる。
［項目７］
前記制御回路（７０）は、ｎ（ｎは自然数）画面分のタッチ検出を行うごとに、前記複数の共通電極（３４）の分割パターンを別の分割パターンに切り替える、
項目２、５、６のいずれか１項に記載の表示システム（２０）。
これによれば、複数のグループの境界を跨ぐ位置でタッチが検出されたか否かを判定する必要がないため、分割パターンの切り替え制御を単純化することができる。
［項目８］
前記タッチ検出回路（７６）は、一のフレーム期間に含まれるタッチ検出期間において、前記表示装置（２２）に含まれる前記複数の共通電極（３４）と対応するタッチ検出領域に対して、前記タッチの検出を２回行い、
前記制御回路（７０）は、前記一のフレーム期間に含まれる前記タッチ検出期間において、前記２回のタッチ検出それぞれで、前記分割パターンを変える、
項目２、５、６、７のいずれか１項に記載の表示システム（２０）。
これによれば、複数のグループの境界を跨ぐ位置でタッチが検出されたか否かを判定する必要がないため、分割パターンの切り替え制御を単純化することができる。
［項目９］
前記制御回路（７０）は、前記複数の共通電極（３４）の分割パターンの分割数を切り替え可能である、
項目２、５、６、７、８のいずれか１項に記載の表示システム（２０）。
これによれば、複数のグループの分割パターンの境界の位置を、より多様に切り替えることができる。
［項目１０］
前記複数の共通電極（３４）の分割パターンの分割数に応じて、前記表示装置（２２）におけるフレーム期間の前記タッチ検出期間と前記表示期間の長さが変わる、
項目４に記載の表示システム（２０）。
これによれば、単位フレームの期間を変更することなく、分割パターンの分割数を変えることができる。
［項目１１］
前記制御回路（７０）は、予め規定された前記２以上の分割パターンから、使用する分割パターンを選択する、
項目２、５、６、７、８、９のいずれか１項に記載の表示システム（２０）。
これによれば、設計者が用意した分割パターンで画面を分割することができる。
［項目１２］
前記制御回路（７０）は、前記複数の共通電極（３４）の分割パターンを切り替える際、予め規定された前記２以上の分割パターンから、使用する分割パターンを順番にまたはランダムに選択する、
項目１１に記載の表示システム（２０）。
これによれば、設計者が用意した順番でまたはランダムに、分割パターンを選択することができる。
［項目１３］
前記制御回路（７０）は、使用する前記分割パターンを生成する、
項目２、５、６、７、８、９のいずれか１項に記載の表示システム（２０）。
これによれば、設計者が複数の分割パターンを予め用意する必要がない。
［項目１４］
画像表示およびタッチ検出に共有される複数の共通電極（３４）を備える表示装置（２２）の制御装置（２４）であって、
前記複数の共通電極（３４）のそれぞれにタッチ駆動信号を供給する駆動回路（７４）と、
前記複数の共通電極（３４）のそれぞれから受信したタッチ検出信号に基づいて、前記表示装置（２２）へのタッチを検出するタッチ検出回路（７６）と、を備え、
前記複数の共通電極（３４）は、それぞれが複数の共通電極（３４）を含む複数のグループに分けられ、
前記複数の共通電極（３４）を前記複数のグループに分ける分割パターンは２以上あり、
前記タッチ検出回路（７６）は、前記複数の共通電極（３４）からグループごとにタッチ検出信号を受信する、
表示装置（２２）の制御装置（２４）。
これによれば、それぞれが複数の共通電極（３４）を含む複数のグループの境界位置を変えることができる。
［項目１５］
画像表示およびタッチ検出に共有される複数の共通電極（３４）を備えるタッチ式の表示装置（２２）の制御方法であって、
前記複数の共通電極（３４）のそれぞれにタッチ駆動信号を供給するステップと、
前記複数の共通電極（３４）のそれぞれから受信したタッチ検出信号に基づいて、前記表示装置（２２）への物体のタッチを検出するステップと、を有し、
前記複数の共通電極（３４）は、それぞれが複数の共通電極（３４）を含む複数のグループに分けられ、
前記複数の共通電極（３４）を前記複数のグループに分ける分割パターンは２以上あり、
前記タッチを検出するステップは、前記複数の共通電極（３４）からグループごとにタッチ検出信号を受信する、
表示装置（２２）の制御方法。
これによれば、それぞれが複数の共通電極（３４）を含む複数のグループの境界位置を変えることができる。
【符号の説明】
【０１０３】
１  表示システム、  １０  ホスト、  １２  制御装置、  ２０  表示モジュール、  ２２  表示装置、  ２４  制御装置、  ３０  画素スイッチング素子、  ３２  画素電極、  ３４  共通電極、  ３６  信号線、  ７０  制御回路、  ７２  第１駆動回路、  ７４  第２駆動回路、  ７６  タッチ検出回路、  ７６１  マルチプレクサ、  ７６１ａ  第１マルチプレクサ、  ７６１ｂ  第２マルチプレクサ、  ７６２  Ａ／Ｄコンバータ、  Ｒ１−Ｒ１６  スキャンブロック、  Ｒｓ１−Ｒｓ１６  サブブロック。
【図１】
2020154943.tif 000003
【図２】
2020154943.tif 000004
【図３】
2020154943.tif 000005
【図４】
2020154943.tif 000006
【図５】
2020154943.tif 000007
【図６】
2020154943.tif 000008
【図７】
2020154943.tif 000009
【図８】
2020154943.tif 000010
【図９】
2020154943.tif 000011
【図１０】
2020154943.tif 000012
【図１１】
2020154943.tif 000013
【図１２】
2020154943.tif 000014
【図１３】
2020154943.tif 000015
【図１４】
2020154943.tif 000016
【図１５】
2020154943.tif 000017
【図１６】
2020154943.tif 000018
【図１７】
2020154943.tif 000019
【図１８】
2020154943.tif 000020
【図１９】
2020154943.tif 000021
【図２０】
2020154943.tif 000022
【図２１】
2020154943.tif 000023
【図２２】
2020154943.tif 000024
【図２３】
2020154943.tif 000025
【図２４】
2020154943.tif 000026
【図２５】
2020154943.tif 000027
【図２６】
2020154943.tif 000028
【図２７】
2020154943.tif 000029
【図２８】
2020154943.tif 000030